(57)【特許請求の範囲】
【請求項１】
画像データを与えるステップと、
該画像データから輪郭データを生成するステップと、
該輪郭内毎に独立したブロックデータとするステップと、
バックグランド領域を設定するステップと、
バックグランド領域の色を指定するステップと、
バックグランド領域を指定色で表示するステップと、
ブロックと輪郭線の縫い目糸色を指定するステップと、
ブロックと輪郭線に縫い目データを生成するステップと、
指定した同一の刺繍条件で刺繍縫いを行うブロックを連続的に指定して単一の単位として扱うブロック群或いは指定した同一の刺繍条件で刺繍縫いを行う輪郭線を連続的に指定して単一の単位として扱う輪郭線群毎に表示するステップと、
全ブロックと全輪郭線を縫い目として表示するステップと、
全ブロックと全輪郭線を縫い目とした表示に対して、ブロック縫い及び輪郭縫いの縫い目糸色の変更が有る場合には夫々再指定し、確認後生成データを指定色データと共に記憶するステップと、
からなる、刺繍データ作成方法。
【請求項２】
画像データを与えるステップと、
該画像データから輪郭データを生成するステップと、
該輪郭内毎に独立したブロックデータとするステップと、
バックグランド領域を設定するステップと、
バックグランド領域の色を指定するステップと、
バックグランド領域を指定色で表示するステップと、
縫い糸色／縫い目を設定するステップと、
ブロック領域を指定するステップと、
指定ブロック毎に縫い目データを生成するステップと、
輪郭線の縫い目糸色／縫い目／縫い幅を指定するステップと、
輪郭線を指定して指定輪郭線毎に縫い目データを生成するステップと、
指定した同一の刺繍条件で刺繍縫いを行うブロックを連続的に指定して単一の単位として扱う指定ブロック群或いは指定した同一の刺繍条件で刺繍縫いを行う輪郭線を連続的に指定して単一の単位として扱う指定輪郭線群毎に表示するステップと、
全ブロックと全輪郭線を縫い目として表示するステップと、
全ブロックと全輪郭線を縫い目とした表示に対して、ブロック縫い及び輪郭縫いの縫い目糸色を含む縫い条件の変更が有る場合には夫々再指定し、確認後生成データを指定色データと共に記憶するステップと、
からなる、刺繍データ作成方法。
【請求項３】
画像データを与えるステップと、
該画像データから輪郭データを生成するステップと、
該輪郭内毎に独立したブロックデータとするステップと、
バックグランド領域を設定するステップと、
バックグランド領域の色を指定するステップと、
バックグランド領域を指定色で表示するステップと、
縫い糸色／縫い目を設定するステップと、
ブロック領域と輪郭線を指定するステップと、
指定ブロック毎に縫い目データを生成するステップと、
輪郭線の縫い目糸色／縫い目／縫い幅を指定するステップと、
指定輪郭線毎に縫い目データを生成するステップと、
指定した同一の刺繍条件で刺繍縫いを行うブロックを連続的に指定して単一の単位として扱う指定ブロック群或いは指定した同一の刺繍条件で刺繍縫いを行う輪郭線を連続的に指定して単一の単位として扱う指定輪郭線群毎に表示するステップと、
編集するステップと、
全ブロックと全輪郭線を縫い目として表示するステップと、
全ブロックと全輪郭線を縫い目とした表示に対して、ブロック縫い及び輪郭縫いの縫い目糸色を含む縫い条件の変更が有る場合には夫々再指定し、確認後生成データを指定色データと共に記憶するステップと、
からなる、刺繍データ作成方法。
【請求項４】
画像データを与えるステップと、
画像データから輪郭データを生成するステップと、
該輪郭内毎に独立したブロックデータとするステップと、
バックグランド領域を設定するステップと、
バックグランド領域の色を指定するステップと、
バックグランド領域を指定色で表示するステップと、
ブロックと輪郭線の縫い目糸色を指定するステップと、
指定した同一の刺繍条件で刺繍縫いを行うブロックを連続的に指定して単一の単位として扱うブロック群或いは指定した同一の刺繍条件で刺繍縫いを行う輪郭線を連続的に指定して単一の単位として扱う輪郭線群毎に表示するステップと、
全ブロックと全輪郭線を縫い目として表示するステップと、
全ブロックと全輪郭線を縫い目とした表示に対して、ブロック縫い及び輪郭縫いの縫い目糸色を含む縫い条件の変更が有る場合には夫々再指定し、確認後生成データを指定色データと共に記憶するステップと、
からなる、刺繍データ作成方法。
【発明の詳細な説明】
【技術分野】
【０００１】
この発明は刺繍データ作成方法に関する。
【背景技術】
【０００２】
刺繍縫いが可能なミシンや刺繍縫い専用機に刺繍縫いを行わせるデータは、装置のメーカなどがデータを作成し、ユーザに供給する形態が通常とられている。
しかし、ユーザの好みの多様化により、ユーザ自らが画像を作成し、これを刺繍したいという要求が増加しており、このような要求に応えるために、ユーザが紙に描いた原画をイメージセンサ等により読み取り、これに基づいて刺繍データを生成する装置が既に市販され、その装置を使用する方法が提案されている。
【発明の開示】
【発明が解決しようとする課題】
【０００３】
上記したような、ユーザ自らが刺繍データを作成可能な装置を使用する場合、刺繍対象物の色との関係から刺繍模様の作成や糸色の指定をすることができない問題があった。即ち、これらの装置を使用する場合、模様形状を表示する機能は備えていても、そのバックグランド色を表示することが出来ず、実際に刺繍した場合に布地の色との色彩のバランス等を把握することが出来ない問題があった。
即ち、実際に使用する服の布地に合った刺繍を予め把握することが出来ない。
本発明は上記従来技術の欠点を改善することを目的とする。
【課題を解決するための手段】
【０００４】
上記目的を達成するために本発明は、画像データを与えるステップと、該画像データから輪郭データを生成するステップと、該輪郭内毎に独立したブロックデータとするステップと、バックグランド領域を設定するステップと、バックグランド領域の色を指定するステップと、バックグランド領域を指定色で表示するステップと、ブロックと輪郭線の縫い目糸色を指定するステップと、ブロックと輪郭線に縫い目データを生成するステップと、指定した同一の刺繍条件で刺繍縫いを行うブロックを連続的に指定して単一の単位として扱うブロック群或いは指定した同一の刺繍条件で刺繍縫いを行う輪郭線を連続的に指定して単一の単位として扱う輪郭線群毎に表示するステップと、全ブロックと全輪郭線を縫い目として表示するステップと、全ブロックと全輪郭線を縫い目とした表示に対して、ブロック縫い及び輪郭縫いの縫い目糸色の変更が有る場合には夫々再指定し、確認後生成データを指定色データと共に記憶するステップと、からなる、刺繍データ作成方法とすることで課題を解決することができた。
また、本発明は、画像データを与えるステップと、該画像データから輪郭データを生成するステップと、該輪郭内毎に独立したブロックデータとするステップと、バックグランド領域を設定するステップと、バックグランド領域の色を指定するステップと、バックグランド領域を指定色で表示するステップと、縫い糸色／縫い目を設定するステップと、ブロック領域を指定するステップと、指定ブロック毎に縫い目データを生成するステップと、輪郭線の縫い目糸色／縫い目／縫い幅を指定するステップと、輪郭線を指定して指定輪郭線毎に縫い目データを生成するステップと、指定した同一の刺繍条件で刺繍縫いを行うブロックを連続的に指定して単一の単位として扱う指定ブロック群或いは指定した同一の刺繍条件で刺繍縫いを行う輪郭線を連続的に指定して単一の単位として扱う指定輪郭線群毎に表示するステップと、全ブロックと全輪郭線を縫い目として表示するステップと、全ブロックと全輪郭線を縫い目とした表示に対して、ブロック縫い及び輪郭縫いの縫い目糸色を含む縫い条件の変更が有る場合には夫々再指定し、確認後生成データを指定色データと共に記憶するステップと、からなる、刺繍データ作成方法とすることで課題を解決することができた。
さらに、本発明は、画像データを与えるステップと、該画像データから輪郭データを生成するステップと、該輪郭内毎に独立したブロックデータとするステップと、バックグランド領域を設定するステップと、バックグランド領域の色を指定するステップと、バックグランド領域を指定色で表示するステップと、縫い糸色／縫い目を設定するステップと、ブロック領域と輪郭線を指定するステップと、指定ブロック毎に縫い目データを生成するステップと、輪郭線の縫い目糸色／縫い目／縫い幅を指定するステップと、指定輪郭線毎に縫い目データを生成するステップと、指定した同一の刺繍条件で刺繍縫いを行うブロックを連続的に指定して単一の単位として扱う指定ブロック群或いは指定した同一の刺繍条件で刺繍縫いを行う輪郭線を連続的に指定して単一の単位として扱う指定輪郭線群毎に表示するステップと、編集するステップと、全ブロックと全輪郭線を縫い目として表示するステップと、全ブロックと全輪郭線を縫い目とした表示に対して、ブロック縫い及び輪郭縫いの縫い目糸色を含む縫い条件の変更が有る場合には夫々再指定し、確認後生成データを指定色データと共に記憶するステップと、からなる、刺繍データ作成方法とすることで課題を解決することができた。
さらに、本発明は、画像データを与えるステップと、画像データから輪郭データを生成するステップと、該輪郭内毎に独立したブロックデータとするステップと、バックグランド領域を設定するステップと、バックグランド領域の色を指定するステップと、バックグランド領域を指定色で表示するステップと、ブロックと輪郭線の縫い目糸色を指定するステップと、指定した同一の刺繍条件で刺繍縫いを行うブロックを連続的に指定して単一の単位として扱うブロック群或いは指定した同一の刺繍条件で刺繍縫いを行う輪郭線を連続的に指定して単一の単位として扱う輪郭線群毎に表示するステップと、全ブロックと全輪郭線を縫い目として表示するステップと、全ブロックと全輪郭線を縫い目とした表示に対して、ブロック縫い及び輪郭縫いの縫い目糸色を含む縫い条件の変更が有る場合には夫々再指定し、確認後生成データを指定色データと共に記憶するステップと、からなる、刺繍データ作成方法とすることで課題を解決することができた。
【発明の効果】
【０００５】
本発明の刺繍データ作成方法は、表示装置の画面上で、バックグランド領域を刺繍対象物の色と同じ色にすれば、実際の刺繍仕上がりの状態をより正確に把握することが可能になる。
そして、刺繍対象物である布などの色と同一或いは近似した色を表示装置のバックグランドとして表示することができ、実際の仕上がりに近い状態の刺繍模様を見ることが可能になる。また、色の生成も可能であり、スキャナ等により読み込ますことも出来るから、バックグランドの色を実際の布等の色に容易に同一化或いは近似させることが可能になる。
また、バックグランドの色表示は画像読み出しの前後、或いは刺繍条件の設定の前後で何時でも可能であるから操作性が向上する。
更にバックグランド領域を任意に指定でき、多様な表示が可能である。
そして画面に表示するのは、バックグランド色として、服地の色、布地の色等の刺繍対象物の色を表示するようにしたから、購入した、希望する刺繍対象物の色にふさわしい刺繍色を誤りなく選択することができるから、刺繍を行おうとする意欲を与えることができ、装置の利用頻度を高めることに貢献することができる。
【発明を実施するための最良の形態】
【０００６】
画像データを与え、該画像データから輪郭データを生成して該輪郭内毎に独立したブロックデータを得る。画像データとは別にバックグランド領域を設定し、該バックグランド領域の色を設定してバックグランド領域を指定色で表示する。ブロックと輪郭線の縫い目糸色を指定し、ブロックと輪郭線に縫い目データを生成する。同一の刺繍条件が指定された各ブロック群或いは輪郭線群毎に表示し、全ブロックと全輪郭線を縫い目として表示する。全ブロックと全輪郭線を縫い目とした表示に対して、ブロック縫い及び輪郭縫いの変更がある場合には夫々再指定し、確認後生成データを指定色データと共に記憶する刺繍データ作成方法としたことで実現した。
【実施例】
【０００７】
以下本発明の実施の形態を図面に基づいて説明する。
最初にこの実施形態における刺繍データ作成装置Ｘのシステムを周辺機器含めて図５により説明する。この実施形態において、刺繍データ作成装置Ｘはパーソナルコンピュータにより構成されており、ＣＤ−ＲＯＭ等の記憶媒体により供給されるプログラムにより刺繍データ作成装置Ｘを構成するようになっている。この刺繍データ作成装置Ｘと第２の刺繍データ作成装置５０とを接続して用いるようになっている。第２の刺繍データ作成装置５０は既に市販されている既存のものを利用しており、図１に示すようにスキャナ５１を有し、原画をスキャナ５１から読み込んで、縫い目データを生成し、メモリカード５２に記憶させる機能を備えている。この実施形態の刺繍データ作成装置Ｘは第２の刺繍データ作成装置５０の機能を利用できるようになっており、主として生成した縫い目データをメモリカード５２に記憶する機能を利用している。この機能を刺繍データ作成装置Ｘ自体に備えることも当然に可能である。
メモリカード５２に記憶された縫い目データは刺繍ミシン等に装着されて、刺繍縫いに利用されるようになっている。
刺繍データ作成装置Ｘには更にプリンタが接続されており、形成した刺繍縫い目等を印刷して事前に確認できるようになっている。
【０００８】
図１は刺繍データ作成装置Ｘの構成を示す機能ブロック図であり、前記した様にパーソナルコンピュータを利用してソフトウエアによりこれらの機能を構成している。図２は最も典型的な動作のステップを示すもので、以下図１と図２により説明する。
中央演算処理装置１は装置全体の制御を行っており、操作指令装置４３からの操作指令に応じて種々の機能を実現している。画像入力装置２はビットマップデータ等の画像データを入力するものであり、ＣＤやＦＤ等の記憶媒体からこれらの機能を読み込む機能を備えている。また、第２の刺繍データ作成装置５０に設けられているようなスキャナ５１であっても良い。また、画像データ記憶装置４１に予め画像データを記憶させておくことも可能である。
【０００９】
画像入力装置２から入力した画像データ或いは画像データ記憶装置４１に記憶され呼び出された画像データは、一度一時記憶装置４２に記憶された後、輪郭／ブロックデータ生成装置３０により輪郭線データとブロックデータとに変換される（ステップＳ１、２、３）。図３に示すように家の形状をした画像を入力すると、該画像から輪郭線９０〜１００が生成され、該輪郭線に囲まれたブロック８０〜８３が生成される様になっている。この輪郭線とブロックデータを生成する技術は本願出願人らにより開発され提案された公知のものや他の技術を適用することが可能である。輪郭線は図３に示すように交点毎に分割され輪郭線９０〜１００が生成される。
【００１０】
上記のように輪郭線とブロックを含むように変換された画像データは一時記憶装置４２に格納される。画像データの生成が終了したら、該画像を表示装置４０に表示させて、刺繍条件の設定を行うわけであるが、該表示の前に、バックグランド領域の設定を行い（ステップＳ４）、該バックグランド領域の色を指定し（ステップＳ５）、該バックグランドを指定色で表示するようになっている（ステップＳ６）。
即ちバックグランド色指定装置２０の操作により画像のバックグランド領域と色を指定して表示或いは印刷させることが出来るようになっている。バックグランド領域生成装置３３はバックグランド色指定装置２０の操作があると表示装置４０の表示領域をバックグランド７０として認識し、該バックグランド７０を指定された色で表示する。
このバックグランド領域の指定と色表示は画像の表示の後や或いは刺繍条件の設定の後に行うことも可能である。後に行う場合には、画像領域以外の表示領域をバックグランド７０として認識する。また刺繍条件設定の後に行う場合には、指定されたブロック及び輪郭線以外の表示装置４０の表示領域をバックグランド７０として認識し、指定された色で表示するように構成されている。
更にバックグランドをユーザが任意に指定することも可能であり、この構成の場合ブロックをバックグランドとして指定することにより、模様の型抜きが可能になる。
【００１１】
以上説明した機能によりユーザは刺繍対象物の布の色と画像の色の関係を事前に認識することが可能になる。
色の指定はカラーパレット等の予め用意された色の中からを選択することに加えて、色作成装置２１によりユーザが任意の色を作成できるようになっており、刺繍生地と同一又は近似した色を設定できるようになっている。また、スキャナ等から色を読み込むことも可能である。
図３はバックグランドの色表示を行わせた後に画像を表示した表示装置４０における表示状態を示すものである。
【００１２】
次にユーザは該表示装置４０を見ながら、各ブロック及び輪郭線の色と縫い目等の刺繍条件を決める。最初に、ブロック糸色／縫い目指定装置６によりブロックの糸色と縫い目タイプを指定するように構成されている（ステップＳ７）。例えば糸色を赤や青、黄色等から、また縫い目タイプを水平、垂直、斜め、クロス等の中から選択するように構成されている。
ブロック糸色／縫い目指定装置６により糸色と縫い目を選択したら、該糸色と縫い目を適用するブロックをブロック指定装置３により選択するように構成されている（ステップＳ８）。図３に示すように、ブロック８０、８１、８２、８３の中、上記設定した糸色と縫い目で刺繍縫いを行うブロックを指定するようになっている。この時に指定したブロック群は単一の単位として扱われ、縫い目データの生成及び刺繍縫いが１単位として行われるようになっている。この構成により刺繍の際に糸の交換回数を減少することが可能になる
【００１３】
図３の下段に刺繍条件と指定ブロックの関係を示す。ブロック８２と８３は同一の条件において、連続的に指定したため、単一のブロック群Ｃとして扱われる。
同様な操作により全てのブロックの指定が終了したら（ステップＳ９）、該指定に基づいて図３に示す各ブロック群ＡＢＣ毎に縫い目データを形成するように構成されている（ステップＳ１０）。該縫い目データの生成の際に、ブロック毎に該ブロックの最初又は最後の少なくとも一方に止め縫いデータを作成するようになっている。ブロックが連続している場合には、この止め縫いデータは作成しなくても良い。
上記縫い目データの生成は縫い目データ生成装置３１により行われる。同時に表示データ生成装置３２により縫い目データに基づく表示データが生成され、表示装置４０において表示できるようにする。
【００１４】
ブロック指定装置３に加えて全ブロック指定装置４とブロック指定追加／削除装置５を備えており、操作性の向上を図っている。全ブロック指定装置４は全てのブロックを指定するものであり、同一の色、同一の縫い目で全てのブロックを縫う場合に１ブロックずつ指定する必要がないようになっている。
また、ブロック指定追加／削除装置５は一度指定して形成されたブロック群に新たなブロックを追加したり或いはブロック群から任意のブロックを削除したりするためのものである。また全ブロック指定装置４により全ブロックを指定した後にブロック指定追加／削除装置５により所定のブロックを削除することにより指定動作を迅速に行うこと等も可能である。
【００１５】
次に同様にユーザは該表示装置４０を見ながら、各輪郭線の色と縫い目、縫い幅の刺繍条件を決めるようになっている。即ち輪郭線糸色／縫い目／縫い幅指定装置１３によりブロックの糸色と縫い目タイプ、及び縫い幅を指定するように構成されている（ステップＳ１１）。例えば糸色を赤や青、黄色等から、また縫い目タイプをジグザグ、ストレート等の中から、また縫い幅を２ｍｍ、３ｍｍ等の中から選択するように構成されている。
【００１６】
輪郭線糸色／縫い目／縫い幅指定装置１３により糸色と縫い目及び縫い幅を選択したら、該糸色と縫い目及び縫い幅を適用する輪郭線を輪郭線指定装置１０により選択するように構成されている（ステップＳ１２）。図３に示すように、輪郭線９０〜１００の中、上記設定した糸色と縫い目及び縫い幅で刺繍縫いを行う輪郭線を指定するようになっている。この時に指定した輪郭線群は単一の単位として扱われ、縫い目データの生成及び刺繍縫いが１単位として行われるようになっている。この構成により刺繍の際に糸の交換回数を減少することが可能になる。
【００１７】
前述した図３の下段の表において、輪郭線９０〜９５は黒糸／ジグザグ／２ｍｍに連続的に指定され、輪郭線９６〜１００は青糸／ストレート／２ｍｍに連続的に指定されている。そのため輪郭線９０〜９５と輪郭線９６〜１００とは、夫々単一の輪郭線群Ｄ、Ｅとして扱われるようになっている。
全ての輪郭線の指定が終了したら（ステップＳ１３）、該指定に基づいて図３に示す各輪郭線群Ｄ、Ｅ毎に縫い目データを形成するように構成されている（ステップＳ１４）。該縫い目データの生成の際に、輪郭線が離れている場合には、輪郭線毎に該輪郭線の最初又は最後の少なくとも一方に止め縫いデータを作成するようになっている。
該縫い目データの生成は同様に縫い目データ生成装置３１により行われ、同時に表示データ生成装置３２により縫い目データに基づく表示データが生成され、表示装置４０において表示できるようにする。
【００１８】
上記した輪郭線指定装置１０に加えて全輪郭線指定装置１１と輪郭線指定追加／削除装置１２とを備えており、同様に操作性の向上を図っている。全輪郭線指定装置１１は全ての輪郭線を指定するものであり、同一の色、同一の縫い目、同一の縫い幅で全てのブロックを縫う場合に１輪郭線ずつ指定する必要がないようになっている。
また、輪郭線指定追加／削除装置１２は一度指定して形成された輪郭線群に新たな輪郭線を追加したり或いは輪郭線群から任意の輪郭線を削除したりするためのものである。また全輪郭線指定装置１１により全輪郭線を指定した後に輪郭線指定追加／削除装置１２により所定の輪郭線を削除することにより指定動作を迅速に行えるようになっている。
【００１９】
上記により、刺繍条件に基づくブロックと輪郭線の指定が終了したら、各ブロック群或いは輪郭線群毎に表示装置４０に表示する（ステップＳ１５）。またこの段階で前記したブロックと輪郭線の指定の追加と削除を行うことも可能である（ステップＳ１６、１７）。
【００２０】
上記実施形態ではブロック指定と輪郭線指定とを異なる装置により指定するようにしており、ブロックと輪郭線が同一の色糸或いは他の刺繍条件であっても、１単位として連続して縫わないように構成されている。
なお、上記実施形態ではブロック群及び輪郭線群は同一の刺繍条件を指定した後に指定されたブロックと輪郭線により構成されており、群の形成はユーザの操作により行われることになるが、各ブロック及び輪郭線に指定された色を判断し、色毎に自動的に群分けするように構成することも可能である。この場合、ブロックと輪郭線は同一色であっても、１単位として扱わないようにすることが望ましい。
【００２１】
上記したブロック群と輪郭線群の縫い順序は縫い実行順序指定装置２５により、ユーザの任意に設定することが可能になっており、ブロックを先に刺繍縫いし、輪郭線を後にすることや各ブロック群の間及び輪郭線群間で自由に縫い順序を設定できるようになっている（ステップＳ１８）。
【００２２】
また、全てのブロックと輪郭線を表示装置４０に表示することにより、刺繍縫い目の全体像を予め認識することが出来るようになっている（ステップＳ１９）。
【００２３】
上記操作が終了したら、ブロック縫いの条件変更と輪郭線縫いの条件変更がある場合（ステップＳ２０、２１）を除いて、生成された縫い目データを糸色データと共にメモリカード５２に記憶させる（ステップＳ２２）。該メモリカード５２は図５に示すように刺繍ミシンなどに装着され、ここで刺繍縫いが実行される。該縫い目データは刺繍条件に基づいてユーザが指定したブロック群及び輪郭線群に分類されているため、少ない糸替え回数で刺繍縫いが可能である。
【００２４】
図４に基づいて、バックグランドの設定と表示の動作を更に説明する。
バックグランド色指定装置２０の操作があると（ステップＳ５０）、最初に表示装置４０に画像があるか否か判断し（ステップＳ５１）、画像がなければ表示装置４０の全領域をバックグランド領域に設定する（ステップＳ５２）。画像がある場合には、画像を除いた領域或いは指定されたブロック及び輪郭線を除いた領域をバックグランドとして設定する（ステップＳ５３）。そして、色の作成を行う場合には（ステップＳ５４）、色作成装置２１により色の作成を行う（ステップＳ５５）。これは装置上での表示色の生成やスキャナによる実際の色の読込などにより行うことが可能である。そして、該色を登録する（ステップＳ５６）。
そして、カラーパレットなどの中から色を選択するか、或いは前記登録した色を選択して（ステップＳ５７）、該選択色により表示装置４０にバックグランドの色を表示させる（ステップＳ５８）。色の変更がある場合にはステップＳ５４に戻る（ステップＳ５９）。
以上の構成により、ユーザは刺繍対象物である布などの色と同一或いは近似した色を表示装置４０のバックグランドとして表示することができ、実際の仕上がりに近い状態の刺繍模様を見ることが可能になる。
【００２５】
以上説明した実施形態では、刺繍対象物である布などの色と同一或いは近似した色を表示装置４０のバックグランドとして表示することができ、実際の仕上がりに近い状態の刺繍模様を見ることが可能になる。また、色の生成も可能であり、スキャナ等により読み込ますことも出来るから、バックグランドの色を実際の布等の色に容易に同一化或いは近似させることが可能になる。
また、バックグランドの色表示は画像読み出しの前後、或いは刺繍条件の設定の前後で何時でも可能であるから操作性が向上する。更にバックグランド領域を任意に指定でき、多様な表示が可能である。
【図面の簡単な説明】
【００２６】
【図１】本発明の一実施形態を示す機能ブロック図。
【図２】本発明の一実施形態の全体の操作手順を示すフローチャート図。
【図３】本発明の一実施形態の動作の説明図。
【図４】本発明の一実施形態におけるバックグランド領域の設定と色指定の動作を説明するフローチャート図。
【図５】本発明の一実施形態のシステムを周辺装置を含めて示す概略ブロック図。
【符号の説明】
【００２７】
１…中央演算処理装置
２…画像入力装置
３…ブロック指定装置
４…全ブロック指定装置
５…ブロック指定追加／削除装置
６…ブロック糸色／縫い目指定装置
１０…輪郭線指定装置
１１…全輪郭線指定装置
１２…輪郭線指定追加／削除装置
１３…輪郭線糸色／縫い目／縫い幅指定装置
２０…バックグランド色指定装置
２１…色作成装置
２５…縫い実行順序指定装置
３０…輪郭／ブロックデータ生成装置
３１…縫い目データ生成装置
３２…表示データ生成装置
３３…バックグランド領域生成装置
４０…表示装置
４１…画像データ記憶装置
４２…一時記憶装置
４３…操作指令装置
５０…第２の刺繍データ作成装置
５１…スキャナ
５２…メモリカード
７０…バックグランド
８０〜８３…ブロック
９０〜１００…輪郭線。
【図１】
0004531789.tif 000002
【図２】
0004531789.tif 000003
【図３】
0004531789.tif 000004
【図４】
0004531789.tif 000005
【図５】
0004531789.tif 000006